(57)【要約】【課題】  透明トナー現像器と有色トナー現像器を回転保持するロータリー現像器において、ロータリー現像器に保持され、各現像器にトナーを搬送する搬送路に設けられているトナー受け渡し部にて他色トナーが混入してしまう。【解決手段】  各現像器にトナーを搬送する搬送路に設けられ、各々隣り合うように配列されたトナー受け取り口うち、透明トナーを搬送する搬送路に設けられたトナー受け取り口が最端部となるように配置する。【選択図】  図２
2010091800.tif 000002
【特許請求の範囲】
【請求項１】
像担持体と、
前記像担持体に形成された静電像を透明トナーにて現像する透明用現像器と、
前記像担持体に形成された静電像を有色トナーにてそれぞれ現像する複数の有色用現像器と、
前記透明用現像器及び前記複数の有色用現像器のそれぞれに連結することで前記透明用現像器及び前記複数の有色用現像器のそれぞれにトナーを搬送する複数の搬送路と、
前記複数の搬送路の各々に設けられ、対応するトナーを受け入れる複数の被補給口と、
前記複数の被補給口の各々に対して離間可能に設けられ、前記複数の被補給口の各々に対応するトナーを補給する補給装置と、
を有する画像形成装置であって、
前記複数の被補給口は、それぞれ互いに隣り合うように配列されており、前記複数の被補給口のうち、前記透明用現像器への搬送経路に設けられた被補給口が配列方向の端部に配置されることを特徴とする画像形成装置。
【請求項２】
前記複数の有色用現像器は、少なくともイエロートナーにて現像するイエロー用現像器を有し、前記透明用現像器への搬送経路に設けられた被補給口に隣接する被補給口が、前記イエロー用現像器への搬送経路に設けられた被補給口であることを特徴とする請求項１記載の画像形成装置。
【請求項３】
前記複数の有色用現像器は、少なくともブラックトナーにて現像するブラック用現像器を有し、前記透明用現像器への搬送経路に設けられた被補給口に隣接する被補給口が、前記ブラック用現像器への搬送経路に設けられた被補給口であることを特徴とする請求項１記載の画像形成装置。
【請求項４】
前記補給装置は、前記複数の被補給口の各々に対して重力方向上側でそれぞれ連結し、前記複数の被補給口の各々に対して対応するトナーを排出する複数の補給口を有し、前記複数の補給口が前記複数の被補給口に対して離間される際において、前記有色用現像器への搬送経路に設けられた前記補給口の移動する移動軌跡を重力方向下側に投影した領域外に、前記透明用現像器への搬送経路に設けられた前記被補給口が設けられていることを特徴とする請求項１乃至３いずれか記載の画像形成装置。
【請求項５】
前記透明用現像器及び前記複数の有色用現像器とをそれぞれ保持し、前記像担持体と対向する現像位置に向けて前記透明用現像器及び前記複数の有色用現像器を移動可能な回転体を有し、前記複数の搬送路は、前記回転体に支持されていることを特徴とする請求項１乃至４いずれか記載の画像形成装置。
【発明の詳細な説明】
【技術分野】
【０００１】
本発明は、電子写真方式によって可視画像を形成する複写機、プリンタ、記録画像表示装置、ファクシミリなどの画像形成装置に関するものである。詳しくは、透明用の現像器と有色用の現像器とを有する現像装置を用いて画像形成を行う画像形成装置に関する。
【背景技術】
【０００２】
現在、コピー、プリンタ機能を有する複合機や、ファクシミリなどにおいては、電子写真方式の画像形成装置が広く利用されており、且つ、近年は特に電子写真方式のフルカラー画像形成装置の普及が著しい。
【０００３】
フルカラー画像形成装置によるカラー画像の再現が普及するにつれ、色再現範囲の向上や、画像の粒状感の低減による高画質化が望まれている。
【０００４】
そして、このような観点とは別に、画像全域に光沢感を付与し、写真調に仕上げたり、画像中の光沢感（グロス感）に変化を与えることで、色とは異なる新しい表現を付与する印刷物も近年普及しはじめている。
【０００５】
この様な表現を電子写真方式の画像形成装置で実現する為に、従来から提案されてきているものの中に、透明トナーを用いた画像形成手法がある。
【０００６】
例えば、特許文献１（特開２００６−２５１７１７）には、４色のトナー画像を形成できる４つのカラー現像器に加えて、透明トナー像を形成できる現像器を備えた構成が記載されている。そして、複数の感光体とこれに対応する現像器を備えた複数の画像形成部が、中間転写体移動方向に沿って配置された構成（タンデム構成）が記載されている。また、１つの感光体を有し、１つの現像位置に対して複数の現像器を回転移動させる構成（ロータリ構成）も記載されている。ロータリ構成は、タンデム構成に較べて、画像形成装置の小型化を達成し易いといった点で優れている。
【特許文献１】特開２００６−２５１７１７号公報
【発明の開示】
【発明が解決しようとする課題】
【０００７】
上記のように透明トナーを用いた現像器の場合、色トナーを用いた現像器に較べて、他のトナーの混入に弱いといった特性がある。それは、透明トナーに対して色トナーが微量に混入においても、すぐに目立ってしまう為である。
【０００８】
ここで、透明現像器に他色トナーが混入してしまう問題について、現像器をロータリ構成とした場合を例に説明する。
【０００９】
現像ロータリーは、複数の現像器がそれぞれ近接保持されており、更に現像ロータリーには、近接配置された各現像器に対して、各色トナーを搬送するための搬送路がそれぞれ設けられている。そして、それぞれの搬送路には、トナーを受け取るための被補給口が設けられており、トナー補給装置からそれぞれ異なる色の補給トナーが補給される構成となっている。
【００１０】
このとき、トナー補給装置は、メンテナンス等のために現像ロータリーに設けられた各搬送路から離間可能に設けられている。そのため、トナー補給装置を各搬送路に設けられた被補給口から離間する場合、トナー補給装置のトナー排出口（補給口）からトナーが飛散してしまう。通常、現像ロータリーに設けられた各搬送路は、装置の小型化を図るために互いに近接して設けられている。このため、透明現像器用の搬送路に設けられた被補給口は、隣接して設けられた有色現像器の搬送路から飛散するトナーにより混色してしまう問題があった。
特に混色に弱い透明トナーでは致命的であった。
【００１１】
そこで本発明は、トナー補給装置をトナー搬送路から離間する際に、トナー受け渡し部でトナー飛散が生じても透明用現像器の搬送経路に他のトナーが混入することを低減可能な画像形成装置の提供を目的とするものである。
【課題を解決するための手段】
【００１２】
上記課題を解決するための本発明に係る画像形成装置は以下を有する。
【００１３】
像担持体と、前記像担持体に形成された静電像を透明トナーにて現像する透明用現像器と、前記像担持体に形成された静電像を有色トナーにてそれぞれ現像する複数の有色用現像器と、前記透明用現像器及び前記複数の有色用現像器のそれぞれに連結することで前記前記透明用現像器及び前記複数の有色用現像器のそれぞれにトナーを搬送する複数の搬送路と、前記複数の搬送路の各々に設けられ、対応するトナーを受け入れる複数の被補給口と、前記複数の被補給口の各々に対して離間可能に設けられ、前記複数の被補給口の各々に対応するトナーを補給する補給装置と、を有する画像形成装置であって、前記複数の被補給口は、それぞれ互いに隣り合うように配列されており、前記複数の被補給口のうち、前記透明用現像器への搬送経路に設けられた被補給口が配列方向の端部に配置されることを特徴とする。
【発明の効果】
【００１４】
本発明によれば、トナー補給装置をトナー搬送路から離間する際に、トナー受け渡し部でトナー飛散が生じても透明用現像器の搬送経路に他のトナーが混入することを低減可能とすることができる。
【発明を実施するための最良の形態】
【００１５】
［実施形態１］
以下、本発明に係る画像形成装置を、図面に則して更に詳しく説明する。
【００１６】
（実施例１）
図１は本発明を適用した画像形成装置例の概略構成図である。この画像形成装置は、電子写真フルカラー画像形成装置であり、上部にデジタルカラー画像読み取り部Ｒ、下部にデジタルカラー画像形成部Ｐを有する。
【００１７】
画像読み取り部Ｒにおいて、３１は原稿台ガラス、３２はそのガラス３１に対して開閉可能な原稿圧着板である。ガラス３１上にカラー原稿Ｏを画像面下向きで所定の載置基準に従って載置し、その上に原稿圧着板３２を被せることで原稿Ｏをセットする。
【００１８】
３３はガラス３１の下面に沿って移動駆動される移動光学系である。この移動光学系３３によりガラス３１上の原稿Ｏの下向き画像面が光学的に走査される。その原稿走査光が光電変換素子（固体撮像素子）であるＣＣＤ３４に結像されてＲＧＢ（レッド・グリーン・ブルー）の三原色で色分解読取りされる。
【００１９】
読取られたＲＧＢの各信号が、不図示の画像処理部に入力される。
【００２０】
画像形成部Ｐは、１ドラム、ロータリ現像構成、及び中間転写構成を有する電子写真画像形成機構である。
【００２１】
この画像形成部Ｐの動作概略は次の通りである。
【００２２】
画像信号に基いて、像担持体としての電子写真感光体ドラム（以下、感光ドラムという）１上に、露光装置としてのレーザースキャナ３にて露光し、静電像として形成する。
【００２３】
感光ドラム上に形成された静電像は、現像ロータリ内部に配置された複数の現像器により、１色毎に順次形成される。各現像器には、対応するトナー収容部内のトナーが、補給パイプ（補給経路）４００を通して補給される。
【００２４】
この感光ドラム１上の各色のトナー像を、中間転写体であるところの中間転写ベルト（以下、ベルトという）５上に１色毎に１次転写することを繰り返し、ベルト５上にトナー像を合成形成する。その後、このトナー像を一括で記録材Ｓ上に２次転写し、次いで定着してフルカラー画像形成物を出力するものである。
【００２５】
以下に、更に詳しく説明する。
【００２６】
感光ドラム１は矢印の反時計方向に所定の速度で回転駆動され、その表面が帯電装置としての帯電器２により所定の極性・電位に一様に帯電される。その帯電処理面が、露光装置としてのレーザースキャナ３によりレーザー走査露光される。
【００２７】
レーザースキャナ３は、レーザー出力部、ポリゴンミラー、結像レンズ、折り返しミラー等を有する。そして、画像処理部から入力される画像情報信号に対応して変調されたレーザー光（光信号）を出力して、回転する感光ドラム１の帯電処理面を走査露光する。これにより、感光ドラム１の面に走査露光パターンに対応した静電像が形成される。
【００２８】
尚、上記画像情報信号は、前述の読み取り部Ｒから読み込まれた画像情報以外にも、パソコンなどの外部機器より電送される画像情報より合成、形成されたものでも、もちろん構わない。
【００２９】
その静電像が、現像器５０によりトナー像として現像される。
【００３０】
図６に示すように、現像手段としてのロータリ現像装置は、回転体であるロータリ４１に対し、互いに色の異なるトナーを含む色用現像剤が各々収容された複数の現像器５０（５０ｂ〜５０ｆ）が、装着されたものである。そして保持された各現像器が、回転しながら移動可能となっている。色用現像剤は、非磁性の色トナーと、磁性キャリアとを含んだものとなっている。
【００３１】
図１のように、ロータリ４１が所定の制御タイミングにて所定の角度、図示矢印方向に一方向に回転されることによって、各々の現像器が感光ドラム１と対向する現像位置に切り換えられて配置される。現像位置において、感光ドラム１と、現像器側の現像スリーブとの距離が、或る決められた範囲内に保たれる。
【００３２】
ベルト５は可撓性を有する誘電性を有する材料からなるエンドレスベルトであり、複数のローラ５ａ〜５ｇ間に懸回張設されている。ベルト５の外面は、ローラ５ｂ〜５ｃ間において感光ドラム１に接触している。その接触部が１次転写ニップ部Ｔ１である。
【００３３】
この１次転写ニップ部Ｔ１において、ベルト５の感光ドラム１側と反対側に１次転写部材（転写ローラ）６が配設されていて、ベルト５の内面に接している。
【００３４】
この１次転写ローラ６には、所定の制御タイミングにて、トナーと逆極性の１次転写電圧が印加される。ベルト５は、例えばローラ５ａを駆動ローラとして、感光ドラム１の回転速度とほぼ同じ速度で矢印の時計方向に回転駆動される。
【００３５】
まず、感光ドラム１に対して、１色目のトナー像が、上記の帯電・露光・現像の画像形成工程により形成される。そして、そのトナー像が１次転写ニップ部Ｔ１においてベルト５上に転写される。
【００３６】
ベルト５に転写されないで感光ドラム１の面に残った１次転写残トナーはドラムクリーニング装置７により感光ドラム面から除去される。クリーニング装置７により清掃された感光ドラム１は、繰り返して画像形成に供される。
【００３７】
上記と同様の画像形成工程が、２色目以降について、同様に随時繰り返される。これにより、ベルト５上に、各現像色のトナー像が順次重畳転写されたトナー画像が形成される。
【００３８】
一方、所定の制御タイミングで、第１〜第４の給紙カセット８１〜８４、或いは手差しトレイ８５の複数の給紙部のうち、予め選択された給紙部の給紙ローラ１１が駆動される。これにより、その給紙部に収容された記録材Ｓが１枚分離されて送り出されてシートパス１３からレジストローラ１４へ送られる。
【００３９】
レジストローラ１４は、記録材Ｓの斜行補正と、ベルト５から記録材Ｓへのトナー像の２次転写のタイミングを制御するもので、給紙部側から給紙された記録材Ｓの先端を受け止めて一旦停止させる。
【００４０】
１５は２次転写部材（転写ローラ）である。この２次転写ローラ１５は、ベルト５の複数のローラ５ａ〜５ｇの内のローラ５ｇを対向ローラとして、該ローラ５ｇに対してベルト５を挟んだ位置に配置される。そして２次転写ローラ１５は、ベルト５に対して、所定圧で圧接した第１状態と、ベルト５の外面から離間した第２状態とに、不図示の加圧制御機構により切り換え、脱着制御される。
【００４１】
２次転写ローラ１５は、常時はベルト５の外面から離間した第２状態に切り換えられて保持されている。尚、第１状態に切り換えられることで、ベルト５の外面との間に２次転写ニップ部Ｔ２が形成され、２次転写動作が実行される。
【００４２】
２次転写ローラ１５は、所定の制御タイミングで第１状態に切り変えられる。また、レジストローラ１４の位置で一旦停止されている記録材Ｓは所定の制御タイミングでレジストローラ１４から再給紙される。そして、第１状態に切り変えられた２次転写ローラ１５とベルト５との間の２次転写ニップ部Ｔ２に、給紙された記録材Ｓが導入される。
【００４３】
そして、記録材Ｓはこの２次転写ニップ部Ｔ２を挟持搬送されていく。その間、２次転写ローラ１５には所定の２次転写電圧が印加されて、ベルト５上の複数色からなるトナー像が、記録材Ｓ上に静電的に一括転写される。
【００４４】
記録材Ｓに転写されないでベルト５の面に残った２次転写残トナーは、ベルトクリーニング装置１６によりベルト面から除去される。このクリーニング装置１６により清掃されたベルト５は繰り返して画像形成に供される。
【００４５】
クリーニング装置１６は、常時はベルト５の外面から離間した状態に保持されている。２次転写ニップ部Ｔ２にてベルト５から記録材Ｓに対するトナー像の２次転写がなされるときに、所定の制御タイミングにてベルト５の外面に接触した状態に切り換えられる。
【００４６】
２次転写ニップ部Ｔ２を出た記録材Ｓは、ベルト５の面から分離して、搬送ベルトユニット１７によって定着器１８へ搬送され、未定着トナー像は熱及び圧力により記録材Ｓ上に融着されて定着画像となる。定着器１８を出た記録材Ｓは、シートパス１９を通って排紙トレイ２０上に排出される。
【００４７】
ところで、本画像形成装置は、現像ロータリ４１の切り替え速度及び回転駆動トルクの制限により、現像器５０の現像剤収容容積を大きくすることが難しい。
【００４８】
この為、トナーカートリッジ２ａ，２ｂ，２ｃ，２ｄ，２ｅ，２ｆ（図２）は、現像ロータリ４１の外部に配置されており、それぞれの必要量だけ、現像ロータリー４１にて現像位置に回転してきた現像器５０に補給される。本実施例では、各トナーカートリッジ２ａ〜２ｆは、使用するトナーの色が異なることを除いては、実質的に同一の機能を有する構成とされる。従って、以下、特に断りがない限り、トナーカートリッジ２ａ〜２ｆは、添え字のａ〜ｆを省略し、トナーカートリッジ２と表記して総括的に説明する。また、その他の構成についても同様に添え字を省略して説明する。
【００４９】
次に、図２及び図３を用いて、トナーカートリッジ２からロータリー現像器４１に設けられている被補給口としてのトナー受け取り部１２０（１２０ａ〜１２０ｆ）までのトナー補給経路を説明する。図２はトナー補給装置３００とトナー受け取り部１２０（１２０ａ〜１２０ｆ）の正面図であり、図３はトナー補給装置３００の下面図である。
【００５０】
トナー補給手段としてのトナー補給装置３００はトナー受け取り部１２０の上方かつ画像形成装置の手前側に設けられている。また、トナー補給装置３００は、図５のように、トナーカートリッジ２（２ａ〜２ｆ）、補給ユニット１３０、補給パイプ１４０から構成される。そして、トナーカートリッジ２は、補給ユニットステーション（１５０ａ〜１５０ｆ）にて着脱可能に収納される構成となっている。
【００５１】
トナーカートリッジ（２ａ〜２ｆ）内に入っているトナーは、図示しないトナーセンサが補給ユニット１３０内のトナー無を検知すると、トナーセンサがトナーを検知するまでの間、トナーカートリッジ２下方の補給口から補給ユニット（１３０ａ〜１３０ｆ）へ適宜補給される。補給ユニット１３０（１３０ａ〜１３０ｆ）は一定量のトナーを蓄えている。そして、画像形成装置からトナー補給信号を受け取った際に、上記現像位置に現像ロータリーが停止している間、所定量だけ補給ユニット１３０内の補給口２００から補給パイプ１４０へとトナーを排出する。
【００５２】
搬送路としての補給パイプ１４０内の搬送スクリューは、補給ユニット１３０の搬送スクリューを駆動する駆動源（不図示）と同一駆動源により駆動される。そして、補給パイプ１４０は、上記補給ユニット１３０からトナーを受け取ると共に、トナー受け取り部１２０へとトナーを排出する。
【００５３】
搬送路としての補給パイプ１４０は、補給ユニット１３０と不図示の同一駆動により駆動され、上記補給ユニット１３０からトナーを受け取ると共に、トナー受け取り部１２０へとトナーを排出する。
【００５４】
トナー受け取り部１２０は現像ロータリー４１手前側に設けられ、図４に示すように奥・手前方向に配列するように区切られた６つの補給口を有している。各補給口は現像ロータリー４１内に設けられた現像器５０（５０ｂ〜５０ｆ）に連通する搬送路（第一搬送路）にそれぞれ設けられている。本実施例においては、各色のトナー受け取り部としてのトナー受け取り口１２０は、画像形成装置奥側から順に、透明１２０ｂ、イエロー１２０ｃ、マゼンタ１２０ｄ、シアン１２０ｅ、ブラック１２０ｆという配置になっている。なお、本実施例では５色対応の画像形成装置として使用しているため、１５０ａが空ステーションとなり、１２０ａは、使用していない。
【００５５】
また、現像ロータリー４１は回転現像方式であることから、現像位置（或いは何処か特定の１位置）の姿勢でしかトナーを受け取ることが出来ない。そのため、上記補給動作は、各色ごとに現像ロータリーが回転して順次動作を繰り返していく。
【００５６】
そして、現像ロータリー４１内には、図１のようにトナーを受け取って各現像器へ搬送するための複数の補給経路（補給パイプ）４００（４００ｂ〜４００ｆ）を有する構成となっている。
【００５７】
以下、図７、図８、図９、図１０を用いて、現像器５０へのトナー補給部及びトナー補給経路に関して詳細に説明する。図７は、現像器５０を搭載した状態の現像ロータリー部、及びトナー補給口部の上側斜視図である。
【００５８】
現像ロータリー部は、後側板ユニット４３０及び前側板ユニット４４０及び連結ステーユニット４５０からなり、前後側板に装着されたフランジ（図示しない）にて、フルカラー画像形成装置本体に軸受け支持されている。
【００５９】
また、駆動ギア８０５が、画像形成装置本体フレーム側に装着された、ロータリー駆動モータ８０２に装着されたロータリーモータギア８０４より回転駆動を与えられ、現像器５０（５０ｂ〜５０ｆ）の切り替えを行う構成となっている。
【００６０】
ロータリー駆動モータ８０２は、現像器５０（５０ｂ〜５０ｆ）の切り替えを２００ｍｓｅｃ程度の短時間に高速で、且つ回転角度を高精度に保証する必要があること、及び現像器停止位置にて姿勢を保持する必要があることから、ステッピングモータを使用している。
【００６１】
現像ロータリー部手前側については、トナー受け取り口１２０ｂ〜１２０ｆが設けられた固定フランジ２２０ｂ〜２２０ｆを有するトナー受け取りユニット部が、装置本体前側に配置される。また、（図示しない）外部トナーカートリッジより送られるトナーを、各々の色毎にトナー受け取り口１２０ｂ〜１２０ｆで受け取る構成となる。
【００６２】
図８に、トナー受け取り部１２０の断面図を示す。
【００６３】
本図面は、クリア現像器５０ｂが現像位置にいる状態の、クリアトナー補給経路部の断面図である。トナー受け取り部１２０ｂは固定フランジ２２０ｂに設けられており、固定フランジ２２０ｂの内部に現像ロータリー４１と一体で回転する筒状の回転ドラム４０ｂが設けられている。また、トナー搬送部４００ｂは、現像器５０ｂへトナーを搬送するトナー搬送部であり、その内部にトナーを搬送するスクリューが配置されている。図８のように、現像位置にいるときのみ、トナー受け取り部１２０、回転ドラム４０、トナー搬送部４００が経路として繋がるようになっている。結果、トナー受け取り部１２０ｂで受け取ったトナーを、搬送スクリュー部４００ｂに受け渡すことが可能であることを示す。このように、ロータリー４１内に設けられた補給経路４００（４００ｂ〜４００ｆ）の内部には、トナー搬送のための搬送スクリューが配置されている。この補給経路４００は、それぞれ透明用現像器及び複数の有色用現像器のそれぞれに連結することで各色トナーを透明用現像器及び複数の有色用現像器のそれぞれに搬送する構成となっている。
【００６４】
次に、トナーの移動について詳細に説明する。
【００６５】
トナー受け取り口１２０ｂにて受け取ったトナーは、図８にて示される様に、現像器５０ｂへトナーを搬送するトナー搬送スクリューを含むトナー搬送路４００ｂへの開口部１４００ｂへと落下移動する。即ち、補給トナーは重力方向上側から落下補給されている。そして、開口部１４００ｂへと落下したトナーは、トナー受け取り口１２０ｂから重力方向下方向にあるトナー補給空間４１０ｂを経由してトナー搬送路４００ｂに受け渡され、対応する現像器に向かって搬送される。
【００６６】
図に示される通り、現像ロータリーがこの角度の状態のみ、トナー受け取り部１２０ｂから搬送スクリュー部４００ｂが重力方向（垂直方向）に繋がる。そして、トナーを上方より落下供給されることで、現像器まで搬送される状態であることが分かる。
【００６７】
尚、筒状の回転ドラム４０ｂはロータリーと一体で図中Ｒ矢印方向に回転する為、回転ドラム４０ｂには、トナーの逆流防止の壁１４１ｂと、漏れたトナーをすくう回収壁１４２ｂが設けられている。トナーカートリッジ２より供給されたトナーを全て現像器へ送り込むよう構成されている。
【００６８】
図９は、前述の現像ロータリー内のトナー搬送手段（トナー搬送部）に関わる部分を抜粋した図（斜視図）である。
【００６９】
トナー搬送手段は、前述の筒状の回転ドラム４０ｂと、現像器５０ｂへトナーを搬送するトナー搬送スクリューを含むトナー搬送部４００ｂからなる。
【００７０】
前にも述べたが、トナーカートリッジ２より搬送されたトナーは、図７のトナー受け取り部１２０に搬送される。そして、現像ロータリー４１の回転により、回転ドラム４０ｂに設けられた開口部が真上に向いた状態のときに、トナーが落下、供給される構成となっている。
【００７１】
図９からも分かる様に、落下してきたトナーを現像器５０ｂに搬送する構成であることから、トナー搬送部４００ｂは、回転ドラム４０ｂの筒内部に配置されており、現像器と共に回転される構成である。
【００７２】
回転ドラム４０ｂは、現像器５０ｂの現像位置（画像形成位置）のときに真上に開口部を向ける構成となっており、現像時、現像色のみトナー供給でき、且つ供給される構成となっている。
【００７３】
図１０は、本発明の実施形態におけるトナー搬送部と現像器へのトナー受け渡し部を示した断面図である。図１０に示すとおり、トナー搬送部４００（４００ｂ〜４００ｆ）は、現像器５０（５０ｂ〜５０ｆ）の補給受け取り用の開口部４１０（４１０ｂ〜４１０ｆ）に合わせて開口部（トナー受け渡し部）が設けられている。ここで、重力を利用し、現像器へのトナー供給を行う。
【００７４】
このトナー受け渡し部には、スポンジ状のシール部材４２０ｂによって、外部へトナーが漏れないようシールされている。補給されたトナーは、感光ドラム１と対向する現像剤担持体としての現像ローラ４３０ｂにより現像位置に搬送され、現像に寄与される。
【００７５】
また、現像ロータリ４１の重力方向下方には、転写クリーナー１６が近接して配置されている。
【００７６】
以下詳細図面を用いて、本実施形態の画像形成装置における、トナー混色対策の形態である、トナー補給装置３００から各現像器５０ｂ〜５０ｆへのトナー補給構成について詳細に説明を行う。
【００７７】
本実施例では、他色が混色し難い、或いは混色しても画像影響が少なくなるように、トナー受け取り部１２０ｂ〜１２０ｆの配置を決定している。
【００７８】
図６は現像ロータリー４１の斜視図であり、トナー受け取り部１２０ｂ〜１２０ｆは、所定方向（現像ロータリー４１の回転軸線方向）に配列して設けられている。そして、各現像器５０にトナーを搬送するために設けられている複数の搬送路４００には、それぞれ各色トナーを補給するための被補給口としてのトナー受け取り部１２０（１２０ｂ〜１２０ｆ）が設けられている。（図４）詳しくは後述するが、本実施例では、複数のトナー受け取り部１２０ｂ〜１２０ｆのうち、透明トナー用のトナー受け取り部１２０ｂの位置が配列方向に対して最端部となるように配置することで混色のリスクを低減している。
【００７９】
以下、図４、図５、図６を用いて説明する。
【００８０】
図５はトナー補給装置３００の斜視図であり、トナー補給装置３００は補給ユニットステーション（１５ａ〜１５ｆ）である６つの空間を有している。この補給ユニットステーション１５には、トナーカートリッジ（２ａ〜２ｆ）と補給ユニット（１３ａ〜１３ｆ）がそれぞれ着脱自在に設けられている。更に、トナー補給装置３００は、現像ロータリー４１へのメンテナンスが行えるように、画像形成装置の手前上側に離間可能に保持されている。
【００８１】
図６は現像ロータリー４１の斜視図であり、現像ロータリー４１は現像器ステーション１６０（１６０ａ〜１６０ｆ）である６つの空間を有している。この現像器ステーション１６０には現像器（５０ａ〜５０ｆ）が着脱自在に設けられている。
【００８２】
画像形成装置がイエロー、マゼンタ、シアン、ブラック、透明の５色を使用する場合、６つの現像ステーション１６０のうち、透明現像ステーション１６０ｂに透明用現像器５０ｂが取り付けられる。更に、イエロー現像ステーション１６０ｃにイエロー用現像器５０ｃ、マゼンタ現像ステーション１６０ｄにマゼンタ用現像器５０ｄが取り付けられる。そして、シアン現像ステーション１６０ｅにシアン用現像器５０ｅ、ブラック現像ステーション１６０ｆにブラック用現像器５０ｆが取り付けられる。
【００８３】
図４はトナー受け取り部１２０の斜視図であり、現像器５０からトナー受け取り部１２０までのトナー搬送経路を経由して各トナー受け取り部でトナーが供給される。トナー受け取り部１２０は、透明トナー受け取り部１２０ｂ、イエロートナー受け取り部１２０ｃ、マゼンタトナー受け取り部１２０ｄ、シアントナー受け取り部１２０ｅ、ブラックトナー受け取り部１２０ｆのように配列されている。
【００８４】
その結果、補給パイプ１４０の色順が決定され、トナー補給装置３００内の補給ユニットステーション１５０の色順も、１５０ｂが透明、１５０ｃがイエロー、１５０ｄがマゼンタ、１５０ｅがシアン、１５０ｆがブラックという色順になる。
【００８５】
５色対応の画像形成装置では、１５０ａが空ステーションとなり使用されず、またトナー受け取り部の１２０ａも使用しない。
【００８６】
このように、トナー補給装置３００の補給ユニットステーション１５０は、現像器５０を現像ロータリー４１にどう取り付けるかによって決定されるため様々な配置が考えられる。本実施例では、透明トナーに対して、複数有色トナーが混色しても、影響のない配列構成を実現するように、補給ユニットステーション１５ｂ〜１５ｆの配置を決定している。
【００８７】
次に現像装置のメンテナンス時に、トナー補給装置３００をトナー受け取り部１２０から離間する際に他色トナーが混色するのを抑制できることについて説明する。
【００８８】
本実施例では、現像装置のメンテナンス時には、トナー補給装置３００をトナー受け取り部１２０から離間できる構成となっている。図１１（ａ）にトナー補給装置３００をトナー受け取り部１２０から離間したときの図、図１１（ｂ）にトナー補給装置３００をトナー受け取り部１２０に装着したときの図を示す。図１１は、図２の紙面左側（装置左側面）からみた図である。
【００８９】
図１１のように、トナー補給装置３００は、作業性の向上のために装置手前上側（図１１の矢印方向）にスライド可能に支持される構成となっている。そのため、メンテナンス時には、トナー受け取り部１２０の上部に位置するトナー搬送装置３００の複数有色トナー補給パイプ１４０の排出口が、下部に位置するトナー受け取り部１２０の上側を横切る構成となる。例えば、装置手前側に配列されたトナー受け取り部１２０ｆの場合、全色のトナー補給パイプの排出口がトナー受け取り部１２０ｆの上方を通過するため、最も混色の危険性が高い。そこで、本実施例では、透明トナー受け取り部１２０ｂを装置奥側に設けている。即ち、複数有色トナー補給パイプ１４０の排出口の移動軌跡に対して重力方向下側に投影した領域外に透明トナー受け取り部１２０ｂを配置している。この構成にすることで、トナー補給装置３００のスライド時において、複数有色トナー補給パイプ１４０からのトナー落ちが発生しても、混色してしまうことを極力抑制することができる。更に、本実施例では、複数並んで配置されているトナー受け取り部１２０ｂ〜１２０ｆのうち、透明トナー受け取り部１２０ｂが端部配置されるように設けられている。このため、隣接するトナー受け取り部から他色トナーが混入する危険性を低下することができる。
【００９０】
また、本実施例では、透明トナー受け取り部１２０ｂに隣接する他色のトナー受け取り部が、イエロートナーを受け渡すイエロートナー受け取り部１２０ｃとなるようにしている。こうすることにより、万が一、隣接する受け渡し部からトナーが混入しても、画像影響が少ない構成としている。
【００９１】
これは、人間の目ではイエロートナーで描かれた画像に対して識別能力が弱いことを利用している。
【００９２】
（実施例２）
本実施例では、実施例１とほぼ同じ構成であり、異なる部分だけ説明する。実施例１では、透明トナー用のトナー受け取り部１２０ｂは、イエロートナー用のトナー受け取り部に隣接配置していた。本実施例では、イエロートナー用のトナー受け取り部の代わりに、ブラックトナー用のトナー受け取り部１２０が、透明トナー用のトナー受け取り部１２０ｂに隣接するように設けられている。この理由は、人間の目では濃度差（色差）の識別能力が弱いことを利用している。
【００９３】
発明者の実験より、一定量の透明トナーに、マゼンタ、シアン、ブラックトナーをそれぞれ０．２５％混入し、透明トナーを０とし、色差（ΔＥ）を測色した。
【００９４】
測色の方法としては、記録材  王子製紙株式会社  ＳＡ金藤＋を使用し、ベタ画像を絵出しし、測色した。
【００９５】
この結果、イエロー１．２３、マゼンタ０．６７、シアン０．５５、ブラック０．３６となった。このことより、ブラックトナーが混入した場合が、画像への影響が一番少ないことがわかった。
【００９６】
このように、本実施例では、透明トナーに対する色差に着目することで、万が一、隣接するトナー受け取り部からトナーが混入しても、混色の影響を抑制できるようにしている。
【００９７】
以上、２つの実施の形態によって本発明の画像形成装置を説明したが、上記に挙げた構成に限られるものではなく、透明トナーに混色が発生しない離間方法をとることによる本発明の提案にしたがって様々な構成を採ることが可能である。
【図面の簡単な説明】
【００９８】
【図１】本発明の実施形態における画像形成装置の主断面図
【図２】本発明の実施形態におけるトナー搬送部の正面図
【図３】本発明の実施形態におけるトナー搬送装置の下面図
【図４】本発明の実施形態におけるトナー供給部の斜視図
【図５】本発明の実施形態におけるトナー搬送部の斜視図
【図６】本発明の実施形態における現像ロータリーの斜視図
【図７】本発明実施形態の現像ロータリー周りを示した斜視図
【図８】本発明実施形態の現像ロータリートナー補給可能時の断面図
【図９】本発明実施形態の現像器へのトナー補給経路を表す斜視図
【図１０】本発明の実施形態におけるトナー搬送部と現像器へのトナー受け取り部を示した断面図
【図１１】本発明の実施形態におけるトナー補給装置をトナー受け取り部から着脱したときの現像ロータリーの側面図
【符号の説明】
【００９９】
１  感光ドラム
２  トナーカートリッジ
３００  トナー搬送装置
４１  現像ロータリー
５０  現像器
１２０  トナー供給部
１３０  補給ユニット
１４０  補給パイプ
１５０  補給ユニットステーション
１６０  現像器ステーション
２００  補給口
【図１】
2010091800.tif 000003
【図２】
2010091800.tif 000004
【図３】
2010091800.tif 000005
【図４】
2010091800.tif 000006
【図５】
2010091800.tif 000007
【図６】
2010091800.tif 000008
【図７】
2010091800.tif 000009
【図８】
2010091800.tif 000010
【図９】
2010091800.tif 000011
【図１０】
2010091800.tif 000012
【図１１】
2010091800.tif 000013